(57)【要約】【課題】  焦点調節のために一部のレンズのみを比較的広い移動範囲で移動させることができ、しかも、比較的簡単な構成で且つ小形で済ませる。【解決手段】  筒体２５の上端部に固定レンズ２６を設け、その下部の内周部に、内外周側で異極となった円筒状をなす磁石２８を設ける。磁石２８の内周部に、可動レンズ部２７を光軸方向に移動（摺動）可能に設ける。可動レンズ部２７を、レンズ２９の外周に、円周方向に巻回されたコイル３１を樹脂モールド成形してなり、円周方向に電流を流すことが可能なリング状の導体部３０を設けて構成する。コイル３１のリード線を基板２２の通電制御回路に接続する。通常時に可動レンズ部２７を所定位置に保持するバイアスばね３２、３３を設ける。導体部３０（コイル３１）への通電によって、ローレンツ力が働いて可動レンズ部２７が光軸方向の任意の位置に移動され、以てフォーカス調節を行う。【選択図】  図１
2005275269.tif 000002
【特許請求の範囲】
【請求項１】
筒体と、レンズを含んで構成され前記筒体内に光軸方向に移動可能に設けられた可動レンズ部とを備えるレンズ鏡筒であって、
前記可動レンズ部は、前記レンズの外周に円周方向に電流を流すことが可能なリング状の導体部を備えると共に、前記筒体は、前記導体部に鎖交する磁束を発生させる磁石を備え、
前記導体部に通電することによって、前記可動レンズ部を光軸方向に移動させ得るように構成されていることを特徴とするレンズ鏡筒。
【請求項２】
筒体と、レンズを含んで構成され前記筒体内に光軸方向に移動可能に設けられた可動レンズ部とを備えるレンズ鏡筒であって、
前記筒体は、円周方向に電流を流すことが可能なリング状の導体部を備えると共に、前記可動レンズ部は、前記レンズの外周に前記導体部に鎖交する磁束を発生させる磁石を備え、
前記導体部に通電することによって、前記可動レンズ部を光軸方向に移動させ得るように構成されていることを特徴とするレンズ鏡筒。
【請求項３】
前記導体部は、円周方向に巻回されたコイルから構成されることを特徴とする請求項１又は２記載のレンズ鏡筒。
【請求項４】
前記磁石は、円周方向に複数に分割された形態で設けられることを特徴とする請求項１ないし３のいずれかに記載のレンズ鏡筒。
【請求項５】
前記導体部への非通電状態では、前記可動レンズ部が所定の停止位置に停止されることを特徴とする請求項１ないし４のいずれかに記載のレンズ鏡筒。
【請求項６】
前記停止位置は、遠焦点側の限界到達位置であることを特徴とする請求項５記載のレンズ鏡筒。
【請求項７】
請求項１ないし６のいずれかに記載のレンズ鏡筒と、
そのレンズ鏡筒を通過した光を電気信号に変換する画像センサとを備えたことを特徴とする撮像装置。
【発明の詳細な説明】
【技術分野】
【０００１】
本発明は、筒体と、レンズを含んで構成され前記筒体内に光軸方向に移動可能に設けられた可動レンズ部とを備えるレンズ鏡筒、及び、そのレンズ鏡筒を備えた撮像装置に関する。
【背景技術】
【０００２】
近年のビデオカメラ、テレビカメラ、一眼レフレックスカメラ、シネカメラ、監視カメラ、カメラ付き携帯電話機などにおいては、小型化を目的として、従来のカム環により変倍レンズと焦点調節レンズを連動させるズームレンズに替えて、カム環を廃止し、変倍レンズと焦点調節レンズをそれぞれ独立したモータで所定の関係を保つように駆動するいわゆる電子カム方式のズームレンズが用いられるようになった。特許文献１には、このような方式のズームレンズを用いたビデオカメラに好適なレンズ鏡筒が示されている。このレンズ鏡筒は、変倍レンズと焦点調節レンズを駆動するために円筒形のＰＭ型ステッピングモータが用いられている。
【０００３】
一方、特許文献２には、レンズ構体を有する可動側レンズ鏡筒を固定側レンズ鏡筒に相対的に回動させながら光軸方向に前後移動できるように構成し、可動側レンズ鏡筒の周面部にＮ極、Ｓ極の磁極を交互に有する界磁マグネットを固設したレンズ鏡筒装置が示されている。
【特許文献１】特開平５−２８１４５５号公報
【特許文献２】特開昭５９−１５９１１２号公報
【発明の開示】
【発明が解決しようとする課題】
【０００４】
図８は、特許文献１に示されたレンズ鏡筒を示している。このレンズ鏡筒１が用いるズーム駆動用、フォーカス駆動用のステッピングモータ２、３は、小さいものでもモータ外径が１０ｍｍ程度あるため、当該ステッピングモータ部分が円筒形状のレンズ鏡筒１から出っ張る。その結果、レンズ鏡筒１の最大外径が大きくなり、ビデオカメラが大型化し携帯性を悪化させてしまうという問題があった。
【０００５】
図９は、特許文献２に示されたレンズ鏡筒を示している。このレンズ鏡筒４の場合、複数のレンズ５、６、７により一つのレンズ構体８が構成され、このレンズ構体８の全体が一体的に光軸方向に移動する。このため、例えばフォーカス調節をするために一部のレンズのみの移動ができないという不都合がある。
また、固定側レンズ鏡筒９の内周面および可動側レンズ鏡筒１０の突起部１１の外周部にはそれぞれ螺子部９ａおよび１１ａが形成されているが、固定側レンズ鏡筒９の内周面にはコアレス電機子巻線１２も配設されているため、可動側レンズ鏡筒１０の移動範囲が電機子巻線１２によって限定されてしまう。この移動範囲を拡大するためには電機子巻線１２を小型化すればよいが、小型化するとモータ出力トルクが減少してしまう。さらに、レンズ鏡筒４は、可動側レンズ鏡筒１０の構造上、外形が大きくなってしまうという欠点があった。
【０００６】
本発明は上記事情に鑑みてなされたもので、その目的は、焦点調節のために一部のレンズのみを比較的広い移動範囲で移動させることができ、しかも、比較的簡単な構成で且つ小形で済ませることができるレンズ鏡筒、及び、そのレンズ鏡筒を備えた撮像装置を提供するにある。
【課題を解決するための手段】
【０００７】
上記目的を達成するために、本発明のレンズ鏡筒は、筒体と、レンズを含んで構成され前記筒体内に光軸方向に移動可能に設けられた可動レンズ部とを備えるものであって、前記可動レンズ部は、前記レンズの外周に円周方向に電流を流すことが可能なリング状の導体部を備えると共に、前記筒体は、前記導体部に鎖交する磁束を発生させる磁石を備え、前記導体部に通電することによって、前記可動レンズ部を光軸方向に移動させ得るように構成されているところに特徴を有する（請求項１の発明）。
【０００８】
これによれば、可動レンズ部はレンズの外周にリング状の導体部を備えており、その導体部には、筒体に設けられた磁石によって磁束が鎖交しているので、導体部に円周方向に電流を流すことによって、該導体部にローレンツ力が働き、可動レンズ部を光軸方向に移動させるための駆動力を得ることができる。従って、導体部に対する通電制御によって、可動レンズ部を、筒体内の任意の光軸方向位置に移動させることが可能となり、以て、焦点調節が可能となる。
【０００９】
このとき、磁石による磁場の及ぶ範囲において導体部を移動させることができるので、一部のレンズのみを比較的広い移動範囲で移動させることが可能となる。また、可動レンズ部側の導体部、及び、筒体側の磁石、並びに前記導体部に対する通電制御手段を設けるだけでレンズの移動機構を実現できるので、部品点数が少なく、焦点調節のための構成を極めて簡単に済ませることができ、組立性も良くなる。しかも、導体部及び磁石は、リング状に設けられるので、一部が出っ張ることもなく、径方向に大形化することも抑えることができる。
【００１０】
ここで、上記した作用を得るための導体部と磁石との位置関係は、内外周が逆であっても成立するので、筒体側に、円周方向に電流を流すことが可能なリング状の導体部を設けると共に、可動レンズ部側に、レンズの外周に導体部に鎖交する磁束を発生させる磁石を設け、導体部に通電することによって、可動レンズ部を光軸方向に移動させ得るように構成することもできる（請求項２の発明）。
【００１１】
これによれば、導体部に対する通電制御によって、可動レンズ部を、筒体内の任意の光軸方向位置に移動させることが可能となり、以て、焦点調節が可能となる。また、一部のレンズのみを比較的広い移動範囲で移動させることが可能となり、さらに、焦点調節のための構成を極めて簡単に済ませることができ、しかも、小形で済ませることができる。
尚、この請求項２のレンズ鏡筒のように、導体部が固定側（筒体）に設けられていることにより、導体部を可動側（可動レンズ部）に設ける場合に比べて、導体部への通電のための構成を簡単に済ませることができる。一方、上記請求項１のレンズ鏡筒のように、可動レンズ部側に導体部を設けたことにより、磁石が可動レンズ部側に設けられている場合に比べて、可動レンズ部を軽量に済ませることができ、その分、応答速度の向上などを図ることができる。
【００１２】
上記請求項１又は２記載のレンズ鏡筒においては、導体部を、円周方向に巻回されたコイルから構成することができる（請求項３の発明）。これにより、効率的にローレンツ力（移動力）を発生させることができる。
また、上記磁石を、円周方向に複数に分割された形態で設ける構成とすることもできる（請求項４の発明）。これにより、磁石の製造が容易となる。
【００１３】
そして、導体部への非通電状態（可動レンズ部の移動開始前）では、可動レンズ部が所定の停止位置に停止されていることが望ましく（請求項５の発明）、これにより制御が容易となる。このとき、この種のレンズ鏡筒は、可動レンズ部が遠焦点側で使用されることの方が、近焦点側で使用する場合に比べて多いので、前記停止位置を、遠焦点側の限界到達位置とすることにより（請求項６の発明）、可動レンズ部の移動距離を短くして、焦点調節に要する時間を比較的短く済ませることができる。
【００１４】
本発明の撮像装置は、上述したレンズ鏡筒と、そのレンズ鏡筒を通過した光を電気信号に変換する画像センサとを備えて構成されるところに特徴を有する（請求項７の発明）。これにより、小型であって且つ広範な変倍調節および焦点調節が可能となる。
【発明の効果】
【００１５】
本発明のレンズ鏡筒によれば、レンズの外周にリング状の導体部あるいは磁石を設けて可動レンズ部を構成し、筒体にリング状の磁石あるいは導体部を設け、前記導体部に通電することによって、可動レンズ部を光軸方向に移動させ得るようにしたので、焦点調節のために一部のレンズのみを比較的広い移動範囲で移動させることができ、しかも、比較的簡単な構成で且つ小形で済ませることができるという優れた効果を奏するものである。
【発明を実施するための最良の形態】
【００１６】
以下、本発明を具体化したいくつかの実施例について、図１ないし図７を参照しながら説明する。
（１）第１の実施例
まず、図１ないし図３を参照して、本発明の第１の実施例について述べる。図１は、本実施例に係るフォーカス（及びズーム）調節機能を備えた撮像装置２１の構成を概略的に示している。
【００１７】
この撮像装置２１は、基板２２上に、画像センサ２３を実装すると共に、その画像センサ２３の前部（図で上部）に位置して、本実施例に係るレンズ鏡筒２４を設けて構成される。これにて、撮像装置２１は、前方（図１において上方）に位置する被写体（図示せず）からの光をレンズ鏡筒２４（後述する複数のレンズ）を通して画像センサ２３に入射（結像）させ、それを電気信号に変換するようになっている。従って、図１で上下方向が光軸方向となる。尚、図示はしないが、前記基板２２には、前記画像センサからの信号を処理する信号処理回路や、後述する導体部への通電を制御する通電制御回路などが設けられるようになっている。
【００１８】
ここで、本実施例に係るレンズ鏡筒２４について、図２及び図３も参照して詳述する。本実施例では、図１に示すように、このレンズ鏡筒２４は、筒体（鏡筒）２５内に、固定レンズ２６及び可動レンズ部２７を備えて構成される。そのうち筒体２５は、例えばプラスチック，金属等からなり、全体として光軸方向を軸方向とした円筒状をなし、先端側（図で上端部）が肉厚な厚肉部２５ａとされていると共に、段部を介してその下部全体が内径が径大（外径は同等）となる薄肉部２５ｂとされている。前記固定レンズ２６は、例えばプラスチック，ガラス等から薄型のほぼ円柱状（凸レンズ形状）に構成され、前記厚肉部２５ａの内周部に嵌合固定されている。
【００１９】
このとき、前記筒体２５の薄肉部２５ｂの内周部には、円筒状をなす磁石（永久磁石）２８が取付けられている。この場合、図２及び図３にも示すように、この磁石２８は、例えば、全周にわたって、内周側がＮ極、外周側がＳ極に着磁されており、図２、図３に矢印Ｂで示す方向に、磁束（磁力線）を発生させるようになっている。そして、この磁石２８の内周部に、前記可動レンズ部２７が、光軸方向（図１で上下方向）に移動可能に設けられる。
【００２０】
この可動レンズ部２７は、レンズ２９の外周に、円周方向に電流を流すことが可能なリング状の導体部３０を備えて構成されている。本実施例では、前記導体部３０は、円周方向に巻回されたコイル３１を、絶縁材料（樹脂材料）からなるモールド層３０ａでモールド成形して構成されており、図１、図２に示すように、断面が矩形状をなすリング状をなしている。前記レンズ２９は、例えばプラスチック，ガラス等から薄型のほぼ円柱状（凸レンズ形状）に構成され、導体部３０（モールド層３０ａ）の内周部に固定的に取付けられている。尚、図示は省略しているが、前記コイル３１からはフレキシブルなリード線が引出され、そのリード線が、前記基板２２に設けられた通電用の電極（通電制御回路）に接続されるようになっている。
【００２１】
この可動レンズ部２７は、導体部３０（モールド層３０ａ）の外周面が、前記磁石２８の内周面を摺動可能に配設されるのであるが、このとき、図１に示すように、モールド層３０ａの上面と前記筒体２５の厚肉部２５ａ（段部）との間に、コイルばねからなる上部バイアスばね３２が配設され、モールド層３０ａの下面と前記基板２の上面との間に、コイルばねからなる下部バイアスばね３３が配設されている。
【００２２】
これにて、可動レンズ部２７は、光軸方向（図１で上下方向）に移動可能であると共に、通常時（非通電状態）においては、両バイアスばね３２、３３のばね力が釣合う所定位置に停止するようになっている。本実施例では、可動レンズ部２７の所定の停止位置が、遠焦点側（ここでは、画像センサ２３に近い側）の限界到達位置とされるように各バイアスばね３２、３３のばね力が設定されている。
【００２３】
そして、次の作用説明で述べるように、前記導体部３０（コイル３１）に通電されることによって、両バイアスばね３２、３３のばね力に抗して可動レンズ部２７が光軸方向の任意の位置に移動され、以て、フォーカス調節がなされるようになっているのである。このとき、前記通電制御回路により、画像センサ２３において最適な画像が得られる位置に可動レンズ部２７（レンズ２９）を移動させるべく、導体部３０（コイル３１）に対する通断電の制御及び電流の大きさ並びに向きの制御がなされるようになっている。
【００２４】
次に、上記構成の作用について述べる。上記構成のレンズ鏡筒２４においては、導体部３０（コイル３１）に一方向に電流を流すことにより、可動レンズ部２７を光軸方向に自在に移動させることができる。即ち、図２及び図３に示すように、可動レンズ部２７の導体部３０の外周には、筒体２５に設けられた磁石２８が配されており、その磁石２８からの磁束が導体部３０に鎖交している。この場合、磁石２８からの磁力線の方向は、矢印Ｂで示したように、外周側から内周側へ向かう方向となる。
【００２５】
このため、導体部３０に円周方向に直流電流を流すことによって、該導体部３０にローレンツ力が働き、可動レンズ部２７を光軸方向に移動させるための駆動力を得ることができる。例えば、導体部３０（コイル３１）に、矢印Ｉ方向（上面から見て反時計回り方向）に電流が流れると、フレミングの左手の法則に従って、導体部３０に、矢印Ｆ方向（図１、２で上方、図３では紙面に対し上方）に力が作用し、可動レンズ部２７が上方に移動されるようになる。また、導体部３０（コイル３１）に対する通電方向を、矢印Ｉとは反対方向（上面から見て時計回り方向）とすると、可動レンズ部２７が矢印Ｆとは反対方向（図で下方）に移動されるようになるのである。
【００２６】
今、撮像装置２１における撮像時においてフォーカス調節を行うにあたっては、通電制御回路により導体部３０（コイル３１）に対する通電がなされることにより、可動レンズ部２７ひいてはレンズ２９が所定の停止位置から光軸方向に移動されるのであるが、このとき、画像センサ２３の出力信号に基づいて、例えばコントラストが最良となるように可動レンズ部２７の位置調節が行われる。この場合、可動レンズ部２７は、筒体２５内において磁石２８が配置されている比較的広い範囲内（各バイアスばね３２、３３がいっぱいまで縮む（伸びる）範囲内）を自在に移動することができる。
【００２７】
画像センサ２３による撮像が終了すると、導体部３０（コイル３１）対する通電が停止され、可動レンズ部２７は、両バイアスばね３２、３３のばね力によって、所定の停止位置（遠焦点側の限界到達位置）に戻り移動して停止するようになる。この種の撮像装置２１のレンズ鏡筒２４にあっては、可動レンズ部２７が遠焦点側で使用されることの方が多い事情があるが、撮像装置２１が使用停止状態にある時には、可動レンズ部２７は、遠焦点側の限界到達位置で待機しているので、撮像装置２１が使用状態に移行した時に、可動レンズ部２７の移動距離を比較的短くして、フォーカス調節が完了するまでに要する時間を短く済ませることができるのである。
【００２８】
このように、本実施例の撮像装置２１に用いられるレンズ鏡筒２４によれば、磁石２８による磁場の及ぶ範囲において可動レンズ部２７を移動させることができるので、一部のレンズ２９のみを比較的広い移動範囲で移動させることが可能となる。このとき、可動レンズ部２７側の導体部３０、及び、筒体２５側の磁石２８、並びに前記導体部３０（コイル３１）に対する通電制御手段を設けるだけでレンズ２９の移動機構を実現できるので、部品点数が少なく、焦点調節のための構成を極めて簡単に済ませることができ、組立性も良くなる。しかも、導体部３０及び磁石２８は、リング状に設けられるので、一部が出っ張ることもなく、径方向に大形化することも抑えることができる。
【００２９】
この結果、本実施例によれば、焦点調節のために一部のレンズ２９のみを比較的広い移動範囲で移動させることができ、しかも、比較的簡単な構成で且つ小形で済ませることができるという優れた効果を得ることができる。そして、特に本実施例においては、導体部３０を、円周方向に巻回されたコイル３１から構成したので、効率的にローレンツ力（移動力）を発生させることができ、また、導体部３０への非通電状態では、可動レンズ部２７を遠焦点側の限界到達位置に停止させるようにしたので、可動レンズ部２７の移動制御が容易となり、焦点調節に要する時間を比較的短く済ませることができるといった利点も得ることができる。
【００３０】
さらに、この第１の実施例では、可動レンズ部２７側に導体部３０を設けたことにより、磁石２８が可動レンズ部２７側に設けられている場合に比べて、可動レンズ部２７を軽量に済ませることができ、その分、応答速度の向上なども図ることができる。尚、本実施例の撮像装置２１は、ビデオカメラ、テレビカメラ、一眼レフレックスカメラ、シネカメラ、監視カメラ、カメラ付き携帯電話機などに広く適用できる。
【００３１】
（２）第２〜第５の実施例、その他の実施例
次に、本発明の第２〜第５の実施例について、図４〜図７を夫々参照しながら順に説明する。尚、以下に述べる第２〜第５の実施例は、上記第１の実施例のいわば変形例というべきものであり、上記第１の実施例と同一部分については、新たな図示や詳しい説明を省略すると共に、符号も共通して使用することとし、以下、上記第１の実施例と異なる点についてのみ述べる。
【００３２】
図４は、本発明の第２の実施例を示すものである。この第２の実施例が上記第１の実施例と異なる点は、筒体２５の内周部に設けられる磁石４１の構成にあり、この磁石４１は、例えばほぼ１２０度の円弧角となるように３分割された３個の分割磁石４２を組合せて、全体として円筒状をなすように構成されている。これら分割磁石４２も、例えば内周側がＮ極、外周側がＳ極に着磁されている。尚、内外周の極を逆にしても良いことは勿論であり、この場合、電流の流れる方向に対して可動レンズ部２７の移動方向が逆になる。
【００３３】
ここで、上記第１の実施例で示したような円筒状（リング状）の磁石２８は、製作（特に着磁）がしにくい事情があるが、この第２の実施例のように、磁石４１を複数に分割された形態に設けることによって、着磁もしやすくなり、磁石４１の製造が容易となる。この場合、磁石を、２分割あるいは４分割以上に構成しても良いことは勿論であり、また、必ずしも円弧角を等角度としなくても良い。但し、分割磁石の作りやすさ（着磁のしやすさ）と、組立て性（部品数）とのバランスを考えれば、図示のように３分割とすることが、好ましいと考えられる。
【００３４】
図５は、本発明の第３の実施例を示すものであり、可動レンズ部２７の外周部に設けられる導体部４３の構成が上記第１の実施例とは異なっている。即ち、この第３の実施例においては、導体部４３は、導電材料（金属）から、端部ａ、ｂを有する（１箇所で切れている）リング状に構成されている。図示はしないが、導体部４３の端部ａ、ｂには通電用のリード線が接続される。導体部４３の表面は、例えば絶縁材料のコーティングにより絶縁処理がなされている。
【００３５】
この場合も、導体部４３に例えば端部ａから端部ｂに向けて円周方向（矢印Ｉ方向）に直流電流を流すことにより、同様に導体部４３にローレンツ力が働いて、可動レンズ部２７を光軸方向に移動させることができる。通電方向を逆（端部ｂから端部ａに向けて）にすれば、移動方向を逆向きとすることができる。また、この構成では、導体部４３にコイルを用いないために、近傍に配設されている電子部品等に及ぼす磁気的な影響を小さくすることができるメリットも得られる。
【００３６】
図６は、本発明の第４の実施例に係るレンズ鏡筒の要部構成を示すものである。この実施例では、筒体２５の内周部に設けられる全体として円筒状をなす磁石が、前後方向に延びる分割線で左右に２分割した如き２個の分割磁石４４、４５から構成されている。これと共に、可動レンズ部４６は、レンズ２９の外周に全体としてリング状の導体部が設けられるのであるが、この導体部は、前後方向に延びる分割線で左右に２分割した如き２個の分割導体４７、４８から構成されている。分割導体４７、４８の表面は、例えば絶縁材料のコーティングにより絶縁処理がなされている。
【００３７】
このとき、前記分割磁石４４は、例えば内周側がＮ極、外周側がＳ極に着磁され、磁力線の方向が矢印Ｂ１方向となる。一方、前記分割磁石４５は、それとは逆に、内周側がＳ極、外周側がＮ極に着磁されており、従って、磁力線の方向が矢印Ｂ２方向となる。そして、前記両分割導体４７、４８は、直径方向両端の突合せ端部ｃ、ｄで突き合わされているのであるが、それら各突合せ端部ｃ、ｄには通電用のリード線が接続される。
【００３８】
これにて、突合せ端部ｃ、ｄ間に直流電流を流すことにより、分割導体４７においては矢印Ｉ１方向に電流が流れ、分割導体４８においてはそれとは逆に矢印Ｉ２方向に電流が流れ、これによって、導体部（分割導体４７、４８）にローレンツ力が働いて、可動レンズ部４６を光軸方向に移動させることができる。図６の例では紙面に対して上方に向けて可動レンズ部４６が移動する。通電方向を逆（端部ｂから端部ａに向けて）にすれば、移動方向を逆向きとすることができる。
【００３９】
図７は、本発明の第５の実施例に係るレンズ鏡筒の要部構成を示すものである。この第５の実施例では、導体部と磁石との位置関係が、上記第１の実施例とは内外周が逆となるようになっている。即ち、筒体２５の内周部に円筒状（リング状）をなす導体部５１が設けられている。詳しく図示はしないが、この導体部５１は、円周方向に巻回されたコイルを例えば樹脂モールド成形して構成されている。また、この導体部５１のコイルの両端部が基板２２の電極に接続され、以て、通電制御回路により円周方向に電流を流すことが可能に構成されている。
【００４０】
これに対し、この導体部５１の内周側に光軸方向に移動（摺動）可能に設けられる可動レンズ部５２は、レンズ２９の外周に、導体部５１に鎖交する磁束を発生させるリング状の磁石５３を備えて構成されている。この場合も、磁石５３は例えば内周側がＮ極、外周側がＳ極に着磁されており、磁力線の方向は、矢印Ｂ方向となる。これにて、導体部５１（コイル）に例えば矢印Ｉ方向に直流電流を流すことにより、可動レンズ部５２を任意の光軸方向位置に移動させることが可能となり、以て、焦点調節が可能となる。
【００４１】
このような第５の実施例によっても、上記第１の実施例と同様に、一部のレンズ２９のみを比較的広い移動範囲で移動させることが可能となり、さらに、焦点調節のための構成を極めて簡単に済ませることができ、しかも、小形で済ませることができる。また、このように、導体部５１が固定側（筒体２５）に設けられていることにより、導体部５１を可動側（可動レンズ部側）に設ける場合に比べて、導体部５１（コイル）への通電のための構成を簡単に済ませることができる。
【００４２】
尚、本発明は上記し且つ図面に示した各実施例に限定されるものではなく、例えば以下のように変形または拡張が可能である。
即ち、上記実施例では、導体部への非通電状態で可動レンズ部を所定の停止位置に保持するために上下両側にバイアスばね３２，３３を設けるようにしたが、いずれか一方にのみバイアスばねを設ける構成としても良い。導体部への通電停止時に、導体部と磁石との間の摩擦力により可動レンズ部が停止位置に保持される構成としても良い。導体部への通電によって可動レンズ部を移動させて停止位置に戻すようにしても良い。この場合、位置センサなどを設けて可動レンズ部の位置を検出する構成とすることもできる。また、停止位置は、遠焦点側の限界到達位置に限らず、例えば、近焦点側の限界到達位置や、遠焦点と近焦点との中間的な位置に設定しても良い。
【００４３】
また、上記実施例では、固定レンズ２６及び可動レンズ部のレンズ２９を夫々単独のレンズから構成したが、複数枚のレンズを組合せて構成されるものであっても良く、レンズ形状は凹形状であっても良い。筒体内にレンズの他に光学フィルタを設けるようにしても良い。その他、導体部にコイルを用いた場合、基板２２上の電子部品などに対する磁気的な悪影響を防止するために、磁気シールドを設けるようにしても良いなど、本発明は要旨を逸脱しない範囲内で適宜変更して実施し得るものである。
【図面の簡単な説明】
【００４４】
【図１】本発明の第１の実施例を示すもので、撮像装置の概略的縦断面図
【図２】レンズ鏡筒の要部を断面で示す正面からの斜視図
【図３】レンズ鏡筒の要部の平面図
【図４】本発明の第２の実施例を示す磁石の平面図
【図５】本発明の第３の実施例を示す導体部の平面図
【図６】本発明の第４の実施例を示すレンズ鏡筒の要部の平面図
【図７】本発明の第５の実施例を示すレンズ鏡筒の要部の平面図
【図８】従来技術を示すレンズ鏡筒の分解斜視図
【図９】他の従来技術を示すレンズ鏡筒の縦断面図
【符号の説明】
【００４５】
図面中、２１は撮像装置、２３は画像センサ、２４はレンズ鏡筒、２５は筒体、２６は固定レンズ、２７，４６，５２は可動レンズ部、２８，４１，５３は磁石、２９はレンズ、３０，４３，５１は導体部、３１はコイル、４２，４４，４５は分割磁石、４７，４８は分割導体を示す。
【図１】
2005275269.tif 000003
【図２】
2005275269.tif 000004
【図３】
2005275269.tif 000005
【図４】
2005275269.tif 000006
【図５】
2005275269.tif 000007
【図６】
2005275269.tif 000008
【図７】
2005275269.tif 000009
【図８】
2005275269.tif 000010
【図９】
2005275269.tif 000011